(57)【要約】【課題】施工現場でシンク等の水受け容器体の位置設定が自由に行える水廻り設備を提供する。【解決手段】カウンター２と、カウンター２上に固定されずに載置された水受け可能な水受け容器体３と、水受け容器体３に接続された排水用の可撓性配管６とを備え、カウンター２の下方には、可撓性配管６を収納する配管カバー７が設けられ、配管カバー７から適宜可撓性配管６を引き出せるように構成する。【選択図】図１
2007135642.tif 000002
【特許請求の範囲】
【請求項１】
カウンターと、該カウンター上に固定されずに載置された水受け可能な水受け容器体と、該水受け容器体に接続された排水用の可撓性配管とを備えたことを特徴とする水廻り設備。
【請求項２】
前記カウンターの下方には、前記可撓性配管を収納する配管カバーが設けられ、該配管カバーから適宜可撓性配管を引き出せるように構成したことを特徴とする請求項１に記載の水廻り設備。
【請求項３】
前記カウンターは、内部が収納空間となる箱状に形成され、前記収納空間に前記可撓性配管が収納され、前記カウンターの上面には、前記可撓性配管の取出し口を形成したことを特徴とする請求項１に記載の水廻り設備。
【発明の詳細な説明】
【技術分野】
【０００１】
本発明は、カウンター上にシンク，手洗い器，洗面器，水槽等の水受け可能な水受け容器体が設置されてなる流し台，作業台，洗面台等の水廻り設備に関するものである。
【背景技術】
【０００２】
従来、特許文献１に開示されているように、水栓が可撓性給水ホースにより移動自在に構成されたものが存在する。
【特許文献１】特開２０００−２２０１７７号公報
【発明の開示】
【発明が解決しようとする課題】
【０００３】
上記従来の構造では、水栓を移動させることはできるが、設置されたシンク，手洗い器，洗面器，水槽等はカウンター上の設置位置が決められており、施工現場や使用者の好みにより設置位置を変更させることはできないものであり、不便な場合が生ずるという問題点があった。
【課題を解決するための手段】
【０００４】
本発明は上記従来の問題点に鑑み案出したものであって、シンク，手洗い器，洗面器，水槽等の設置位置を変更することが可能な水廻り設備を提供するものであり、その請求項１は、カウンターと、該カウンター上に固定されずに載置された水受け可能な水受け容器体と、該水受け容器体に接続された排水用の可撓性配管とを備えたことである。
【０００５】
また請求項２は、前記カウンターの下方には、前記可撓性配管を収納する配管カバーが設けられ、該配管カバーから適宜可撓性配管を引き出せるように構成したことである。
【０００６】
また請求項３は、前記カウンターは、内部が収納空間となる箱状に形成され、前記収納空間に前記可撓性配管が収納され、前記カウンターの上面には、前記可撓性配管の取出し口を形成したことである。
【発明の効果】
【０００７】
本発明の水廻り設備は、カウンターと、該カウンター上に固定されずに載置された水受け可能な水受け容器体と、該水受け容器体に接続された排水用の可撓性配管とを備えたことにより、施工現場や使用者の好みに合わせて水受け容器体を最適な位置に移動させることができるため、水廻り設備での調理等の作業性が向上し、使い勝手が良好なものとなる。
【０００８】
また、前記カウンターの下方には、前記可撓性配管を収納する配管カバーが設けられ、該配管カバーから適宜可撓性配管を引き出せるように構成したことにより、可撓性配管は配管カバー内に隠蔽されているため、清掃性，安全性，作業性，インテリア性が損なわれることがなく、すっきりとした水廻り設備の設置状態が得られるものとなる。
【０００９】
また、前記カウンターは、内部が収納空間となる箱状に形成され、前記収納空間に前記可撓性配管が収納され、前記カウンターの上面には、前記可撓性配管の取出し口を形成したことにより、可撓性配管をカウンター内部に隠蔽させて、適宜カウンター内部から取出し口を介して引き出すことができ、シンク等の水受け容器体の最適なレイアウトをその時々で設定できるため、事前の細かい設計や仕様の指定を行うことなく、施工現場でシンク等の位置設定を自由に行うことができ、また施工後も容易に位置を変更することが可能となる。
【実施例】
【００１０】
以下、本発明の実施例を図面に基づいて説明する。
図１は、第１実施例の斜視構成図であり、図２は、縦断面構成図である。
図において、作業台１上には平板状のカウンター２が設置されており、このカウンター２上に、水栓４を備えたシンク３が設置され、このシンク３の裏側面には、水栓４に接続される給水管５と、その下方に排水管６が接続されており、この排水管６および給水管５は、作業台１の壁面Ｗ側に横長状に設置された配管カバー７内に相当の余裕長さをもって隠蔽状に収納されており、給水管５および排水管６は蛇腹管等の可撓性配管で構成され、図１の想像線で示すような位置に適宜シンク３をカウンター２上で移動させることができ、この時に配管カバー７内から給水管５および排水管６を引き出して、想像線の位置に配置することができるものである。
【００１１】
このような構成では、例えば、シンク３内で洗いものや下ごしらえを終えた後に、カウンター２の中央部等に作業用の広いスペースが欲しくなった場合等に、シンク３をカウンター２上の隅の方に適宜移動させて、カウンター２上を広くして、良好に調理等を行うことができるものとなり、使用勝手が良好なものとなる。
また、施工現場でシンク３の位置設定を自由に行うことができ、シンク３のレイアウトを施工現場に合わせて行うことができるものとなる。
また、排水管６および給水管５は配管カバー７内に隠蔽させておくことができ、極めてすっきりとした設置状態を得ることができる。
【００１２】
次に、図３，図４，図５は、第２実施例を示すものであり、本例では、カウンター２を変更させて、カウンター２の内部に、給水管５および排水管６を収納できる収納空間Ｓを形成させたものであり、カウンター２は上下方向の厚みが大なる箱状に形成されており、上面には、その幅方向略中央部に長手方向に沿って開口２ｂが上下に貫通して形成され、この開口２ｂの幅方向前後にはレール部２ａ，２ａが形成され、このレール部２ａ，２ａ上に覆蓋ピース８，９をカウンター２の上面と面一状に被せることで、開口２ｂを覆蓋ピース８，９で覆蓋でき、すっきりとした上面が得られるように構成されている。
【００１３】
なお、覆蓋ピース８，９は平板状で幅寸法は一定であるが、長手方向寸法の異なるものが複数用意されており、また、配管取出し口８ａ，８ｂが上下に貫通形成された覆蓋ピース８と、これらの取出し口が形成されていない覆蓋ピース９が用意されており、さらに覆蓋ピース８には、排水管６のみを取り出すことのできる取出し口８ａのみが形成されたものと、給水管５を取り出せる取出し口８ｂも同時に形成されたものが用意されている。
【００１４】
図３に示すように、カウンター２の上面の左側にシンク３を設置する場合には、このシンク３の設置される位置の開口２ｂに覆蓋ピース８をレール部２ａに嵌め込んで取り付け、覆蓋ピース８の配管取出し口８ａ内に排水管６を通して排水管６をシンク３に接続することができ、排水管６はカウンター２内の収納空間Ｓ内に相当の長さ分を収納させておくことができるものである。
なお、シンク３の設置される位置以外の部分の開口２ｂには、取出し口を備えていない平板状の覆蓋ピース９が覆設されて、開口２ｂがすっきりとした状態に閉じられるものである。
【００１５】
施工現場等のレイアウト上、図３の想像線で示すような位置にシンク３を移動させる場合は、想像線で示すシンク３の位置の開口２ｂに配管取出し口８ａを備えた覆蓋ピース８を配置して、その他の部位の開口２ｂは覆蓋ピース９で蓋して、良好にシンク３を任意の位置に移動させて、すっきりとした状態で設置することができるものである。
従って、事前の細かい設計や仕様の指定を行うことなく、施工現場でシンク３の位置設定を自由に行うことができ、また施工後においても、好み等に応じてシンク３の位置を適宜変更させることができ、使用勝手が良好なものとなる。
なお、排水管６は、床面Ｆから立ち上げてカウンター２内の収納空間Ｓ内に収納させたものであっても、また壁面Ｗ側の裏側から収納空間Ｓ内に配管したものであっても良い。
【００１６】
なお、本例では、シンクを備えたキッチン設備を例示しているが、キッチン設備に限らず、カウンター上に手洗い器，洗面器，水槽等の水受け可能な水受け容器体が設置されてなるその他の水廻り設備においても、同様な構造で可撓性の排水管を接続して、カウンター上の適宜位置に水受け容器体を移動できるように構成することができるものである。
【図面の簡単な説明】
【００１７】
【図１】第１実施例のキッチン設備の斜視構成図である。
【図２】図１の縦断面構成図である。
【図３】第２実施例のキッチン設備の縦断面構成図である。
【図４】図３におけるカウンターの斜視構成図である。
【図５】カウンターを幅方向に沿って切断した拡大構成図である。
【符号の説明】
【００１８】
１  作業台
２  カウンター
２ａ  レール部
２ｂ  開口
３  シンク
４  水栓
５  給水管
６  排水管
７  配管カバー
８，９  覆蓋ピース
８ａ，８ｂ  配管取出し口
Ｓ  収納空間
【図１】
2007135642.tif 000003
【図２】
2007135642.tif 000004
【図３】
2007135642.tif 000005
【図４】
2007135642.tif 000006
【図５】
2007135642.tif 000007